(57)【要約】【課題】ユーザーの健康状態に適した食品のリストを生成する。【解決手段】食品購入支援システムＳＴは、ウェアラブル端末装置２００と、画像形成装置１００とを備える。ウェアラブル端末装置１００は、ユーザーの健康を管理するための指標に関する測定値ＨＭを記憶する。画像形成装置１００は、第１通信部５３、取得部５０２、決定部５０３、及び生成部５０４を備える。第１通信部５３は、ウェアラブル端末装置２００と通信する。取得部５０２は、第１通信部５３を介してウェアラブル端末装置２００から測定値ＨＭを取得する。決定部５０３は、ユーザーの健康を管理するための指標に関する目標値ＨＴ及び測定値ＨＭに基づいて、ユーザーが摂取すべき食品成分ＦＣを決定する。生成部５０４は、食品成分ＦＣに基づき、ユーザーが購入すべき食品のリストＬＦを生成する。【選択図】図４
2019066982.tif 000002
【特許請求の範囲】
【請求項１】
ユーザーが身に着けるウェアラブル端末装置と、前記ウェアラブル端末装置と通信可能に接続された画像形成装置とを備える食品購入支援システムであって、
前記ウェアラブル端末装置は、前記ユーザーの健康を管理するための指標に関する測定値を記憶し、
前記画像形成装置は、
前記ウェアラブル端末装置と通信する通信部と、
前記通信部を介して前記ウェアラブル端末装置から前記測定値を取得する取得部と、
前記測定値及び前記指標に関する目標値に基づいて、前記ユーザーが摂取すべき食品成分を決定する決定部と、
前記食品成分に基づき、前記ユーザーが購入すべき食品のリストを生成する生成部と
を備える、食品購入支援システム。
【請求項２】
前記画像形成装置は、
ディスプレーを有する操作パネルと
前記ディスプレーに前記リストを表示する表示部と
を更に備える、請求項１に記載の食品購入支援システム。
【請求項３】
前記画像形成装置は、前記リストを更新する更新部を更に備え、
前記更新部は、前記ウェアラブル端末装置の操作に基づいて、前記リストを更新する、請求項２に記載の食品購入支援システム。
【請求項４】
前記画像形成装置は、前記リストを示す情報を前記ウェアラブル端末装置に送信する送信部を更に備える、請求項１から請求項３のいずれか１項に記載の食品購入支援システム。
【請求項５】
食品が陳列される食品棚に設置され、前記ウェアラブル端末装置と通信する通信部と、
前記食品棚に陳列された食品の種類を示す食品情報を記憶する記憶部と
を更に備え、
前記ウェアラブル端末装置は、
前記食品情報を受信し、前記食品情報が示す食品が前記リストに含まれるか否かを判定する第１判定部と、
前記第１判定部の判定結果を前記ユーザーに報知する第１報知部と
を更に備える、請求項４に記載の食品購入支援システム。
【請求項６】
前記ウェアラブル端末装置と通信可能に接続されたＰＯＳ端末装置を更に備え、
前記ＰＯＳ端末装置は、前記ユーザーが購入した食品の種類を示す食品情報を送信し、
前記ウェアラブル端末装置は、
前記食品情報を受信し、前記食品情報が示す食品が前記リストに含まれるか否かを判定する第２判定部と、
前記第２判定部の判定結果を前記ユーザーに報知する第２報知部と
を更に備える、請求項４又は請求項５に記載の食品購入支援システム。
【請求項７】
前記ウェアラブル端末装置は、前記測定値を測定する測定部を更に備える、請求項１から請求項６のいずれか１項に記載の食品購入支援システム。
【請求項８】
前記測定部は、前記ユーザーの血圧を測定する、請求項７に記載の食品購入支援システム。
【請求項９】
ユーザーが身に着けるウェアラブル端末装置と通信可能に接続された画像形成装置であって、
前記ウェアラブル端末装置と通信する通信部と、
前記ウェアラブル端末装置から前記ユーザーの健康を管理するための指標に関する測定値を取得する取得部と、
前記測定値及び前記指標に関する目標値に基づいて、前記ユーザーが摂取すべき食品成分を決定する決定部と、
前記食品成分に基づき、前記ユーザーが購入すべき食品のリストを生成する生成部と
を備える、画像形成装置。
【請求項１０】
記録媒体に画像を形成する画像形成部を更に備え、
前記画像形成部は、前記リストを示す画像を前記記録媒体に形成する、請求項９に記載の画像形成装置。
【発明の詳細な説明】
【技術分野】
【０００１】
本発明は、食品購入支援システム、及び画像形成装置に関する。
【背景技術】
【０００２】
特許文献１に記載の健康管理情報提供システムは、管理装置と、情報提供装置と、利用者側端末とを備える。情報提供装置は、管理装置から健康診断結果を取得し、健康診断結果に基づき不足栄養成分と必要カロリーとを算出する。また、情報提供装置は、不足栄養成分と必要カロリーとに基づき、推奨食材又は推奨メニューを選択して利用者側端末に表示する。
【先行技術文献】
【特許文献】
【０００３】
【特許文献１】特開２００７−５８２５２号公報
【発明の概要】
【発明が解決しようとする課題】
【０００４】
特許文献１に記載の健康管理情報提供システムでは、健康診断の頻度が少ない場合には、適切な食材又は適切なメニューを選択できない可能性がある。
【０００５】
健康診断が、例えば１年に１回の頻度で１０月に行われる場合について説明する。情報提供装置は、１０月に行われた健康診断の結果に基づき、不足栄養成分と必要カロリーとを算出する。しかしながら、健康診断が行われた年の翌年の９月においても、情報提供装置は、１０月に行われた健康診断結果に基づき、不足栄養成分と必要カロリーとを算出する。したがって、翌年の９月の健康状態が１０月の健康診断時の健康状態と相違する場合には、情報提供装置は、翌年の９月には適切な食材又は適切なメニューを選択できない可能性がある。
【０００６】
本発明は、上記課題に鑑みてなされたものであり、ユーザーの健康状態に適した食品のリストを生成可能な食品購入支援システム、及び画像形成装置を提供することを目的としている。
【課題を解決するための手段】
【０００７】
本発明に係る食品購入支援システムは、ユーザーが身に着けるウェアラブル端末装置と、前記ウェアラブル端末装置と通信可能に接続された画像形成装置とを備える。前記ウェアラブル端末装置は、前記ユーザーの健康を管理するための指標に関する測定値を記憶する。前記画像形成装置は、通信部、取得部、決定部、及び生成部を備える。前記通信部は、前記ウェアラブル端末装置と通信する。前記取得部は、前記通信部を介して前記ウェアラブル端末装置から前記測定値を取得する。前記決定部は、前記測定値及び前記指標に関する目標値に基づいて、前記ユーザーが摂取すべき食品成分を決定する。前記生成部は、前記食品成分に基づき、前記ユーザーが購入すべき食品のリストを生成する。
【０００８】
本発明に係る画像形成装置は、ユーザーが身に着けるウェアラブル端末装置と通信可能に接続され、通信部、取得部、決定部、及び生成部を備える。前記通信部は、前記ウェアラブル端末装置と通信する。前記取得部は、前記ウェアラブル端末装置から前記ユーザーの健康を管理するための指標に関する測定値を取得する。前記決定部は、前記測定値及び前記指標に関する目標値に基づいて、前記ユーザーが摂取すべき食品成分を決定する。前記生成部は、前記食品成分に基づき、前記ユーザーが購入すべき食品のリストを生成する。
【発明の効果】
【０００９】
本発明に係る食品購入支援システム、及び画像形成装置によれば、ユーザーの健康状態に適した食品のリストを生成できる。
【図面の簡単な説明】
【００１０】
【図１】本発明の実施形態に係る画像形成装置とウェアラブル端末装置、ＰＯＳ端末装置、及びサーバー装置との接続状態を示す図である。
【図２】本発明の実施形態に係る画像形成装置の構成を示す図である。
【図３】本発明の実施形態に係るウェアラブル端末装置の構成を示す図である。
【図４】第１制御部及び第２制御部の構成を示す図である。
【図５】食品リスト表示画面の一例を示す画面図である。
【図６】食品棚の一例を示す図である。
【図７】第１制御部の処理の一例を示すフローチャートである。
【図８】第１制御部の処理の一例を示すフローチャートである。
【図９】第２制御部の処理の一例を示すフローチャートである。
【図１０】第２制御部の処理の一例を示すフローチャートである。
【発明を実施するための形態】
【００１１】
以下、本発明の実施形態について、図面（図１〜図１０）を参照しながら説明する。なお、図中、同一又は相当部分については同一の参照符号を付して説明を繰り返さない。
【００１２】
まず、図１を参照して、本発明の実施形態に係る画像形成装置１００とウェアラブル端末装置２００、ＰＯＳ（Ｐｏｉｎｔ  Ｏｆ  Ｓａｌｅ）端末装置４００及びサーバー装置５００との接続状態について説明する。図１に示すように、画像形成装置１００は、ネットワーク６００を介して、ＰＯＳ端末装置４００及びサーバー装置５００と通信可能に接続される。
【００１３】
また、画像形成装置１００は、近距離無線通信を介して、ウェアラブル端末装置２００と通信可能に接続される。更に、ＰＯＳ端末装置４００は、近距離無線通信を介して、ウェアラブル端末装置２００と通信可能に接続される。「近距離無線通信」は、通信可能距離の短い（例えば、１ｍ）無線通信を示し、例えば、ブルートゥース（Ｂｌｕｅｔｏｏｔｈ（登録商標））を含む。
【００１４】
画像形成装置１００及びＰＯＳ端末装置４００は、店舗ＭＡに配置される。店舗ＭＡには、食品棚３００が配置されている。食品棚３００には、ユーザーが購入する対象の食品が陳列されている。
【００１５】
画像形成装置１００は、いわゆる、複合機であって、通信機能を有する。画像形成装置１００は、近距離無線通信を介して、ウェアラブル端末装置２００との間で種々の情報の送受信を行う。また、画像形成装置１００は、ネットワーク６００を介して、サーバー装置５００から目標値ＨＴを示す情報を取得する。目標値ＨＴは、ユーザーの健康を管理するための指標の目標値を示す。目標値ＨＴは、例えば、血圧値を含む。目標値ＨＴについては、図４を参照して詳細に説明する。
【００１６】
ウェアラブル端末装置２００は、ユーザーが身に着ける端末装置であり、近距離無線通信機能を有する。ウェアラブル端末装置２００は、測定値ＨＭを示す情報を記憶する。測定値ＨＭは、ユーザーの健康を管理するための指標の測定値を示す。ウェアラブル端末装置２００の構成については、図３を参照して詳細に説明する。
【００１７】
食品棚３００には、第３通信部３０１と第３記憶部３０２とが配置される。第３通信部３０１は、近距離無線通信を介して、ウェアラブル端末装置２００と通信可能に接続される。第３記憶部３０２は、食品棚３００に陳列された食品の種類を示す食品情報ＦＪを記憶する。食品棚３００の構成については、図６を参照して詳細に説明する。
【００１８】
ＰＯＳ端末装置４００は、物品（本発明の実施形態では、食品）販売の売上実績を単品単位で集計する端末装置を示す。ＰＯＳ端末装置４００は、通信機能を有する。ＰＯＳ端末装置４００は、ネットワーク６００を介して、サーバー装置（図示省略）と通信可能に接続される。また、ＰＯＳ端末装置４００は、近距離無線通信機能を有する。具体的には、ＰＯＳ端末装置４００は、第４通信部４０１及び第４記憶部４０２を備える。第４通信部４０１は、近距離無線通信を介して、ウェアラブル端末装置２００と通信可能に接続される。
【００１９】
サーバー装置５００は、通信機能を有する。また、サーバー装置５００は、目標値ＨＴを示す情報を記憶する。目標値ＨＴは、例えば、健康診断に基づき決定される。また、目標値ＨＴは、年齢及び性別に基づき決定されてもよい。
【００２０】
ネットワーク６００は、例えば、インターネットである。なお、ネットワーク６００は、インターネットに限定されない。ネットワーク６００が、ＷＡＮ（Ｗｉｄｅ  Ａｒｅａ  Ｎｅｔｗｏｒｋ）である形態でもよいし、ネットワーク６００が、ＬＡＮ（Ｌｏｃａｌ  Ａｒｅａ  Ｎｅｔｗｏｒｋ）である形態でもよい。
【００２１】
次に、図２を参照して、本発明の実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００２２】
図２に示すように、画像形成装置１００は、画像形成ユニット１、画像読取ユニット２、原稿搬送ユニット３、操作パネル４、第１制御部５及び第１通信部５３を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーからの操作を受け付ける。第１制御部５は、画像形成装置１００の動作を制御する。第１通信部５３は、近距離無線通信を実行する。
【００２３】
画像形成ユニット１は、給送部１２、搬送部Ｌ、トナー供給部１３、画像形成部１４、定着部１６及び排出部１７を備える。画像形成部１４は、転写部１５を含む。
【００２４】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００２５】
トナー供給部１３は、画像形成部１４にトナーを供給する。画像形成部１４は、用紙Ｐに画像を形成する。
【００２６】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２７】
定着部１６は、用紙Ｐを加熱及び加圧し、用紙Ｐに形成された画像を用紙Ｐに定着する。排出部１７は、用紙Ｐを画像形成装置１００の外部に排出する。
【００２８】
操作パネル４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２９】
第１制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００３０】
次に、図３を参照して、ウェアラブル端末装置２００の構成について説明する。図３は、ウェアラブル端末装置２００の構成を示す図である。図３に示すように、ウェアラブル端末装置２００は、バンド６０、第２制御部６、第２通信部６３、ディスプレー６４、振動モーター６５、加速度センサー６６、圧力センサー６７及び加圧機構６８を備える。
【００３１】
バンド６０は、伸縮自在に構成され、ユーザーの腕に装着される。また、バンド６０は、ユーザーの腕に印加する圧力を変更可能に構成される。バンド６０は、カフ（図示省略）を備える。
【００３２】
第２制御部６は、プロセッサー６１及び記憶部６２を備える。プロセッサー６１は、例えばＣＰＵ（Ｃｅｎｔｒａｌ  Ｐｒｏｃｅｓｓｉｎｇ  Ｕｎｉｔ）を備える。記憶部６２は、半導体メモリーのようなメモリーを備え、ＨＤＤ（Ｈａｒｄ  Ｄｉｓｋ  Ｄｒｉｖｅ）を備えてもよい。記憶部６２は、制御プログラムを記憶している。プロセッサー６１が制御プログラムを実行することによって、ウェアラブル端末装置２００を制御する。
【００３３】
第２通信部６３は、近距離無線通信を実行する。
【００３４】
ディスプレー６４は、例えば、ＬＣＤを備え、種々の画像を表示する。
【００３５】
振動モーター６５は、振動を発生する。具体的には、振動モーター６５の回転軸の先端に分銅が偏心して配置される。振動モーター６５が回転することによって、分銅の重心位置が回転軸の周囲を回転するため振動が発生する。
【００３６】
加速度センサー６６は、加速度を検出する。
【００３７】
圧力センサー６７は、バンド６０の内周面に配置され、圧力を検出する。
【００３８】
加圧機構６８は、バンド６０が腕に印加する圧力を変更する。具体的には、加圧機構６８は、カフを膨張することによって、ユーザーの腕に印加する圧力を増大し、カフを収縮することによって、ユーザーの腕に印加する圧力を減少する。
【００３９】
次に、図１〜図４を参照して、本発明の実施形態に係る第１制御部５及び第２制御部６の構成について説明する。図４は、画像形成装置１００の第１制御部５及びウェアラブル端末装置２００の第２制御部６の構成を示す図である。
【００４０】
図４に示すように、第１制御部５は、通信制御部５０１、取得部５０２、決定部５０３、生成部５０４、表示部５０５、更新部５０６、送信部５０７及び指示部５０８を備える。具体的には、プロセッサー５１は、制御プログラムを実行することによって、通信制御部５０１、取得部５０２、決定部５０３、生成部５０４、表示部５０５、更新部５０６、送信部５０７及び指示部５０８として機能する。
【００４１】
通信制御部５０１は、第１通信部５３の動作を制御する。具体的には、通信制御部５０１は、第１通信部５３がウェアラブル端末装置２００（第２通信部６３）と通信可能であるか否かを判定する。通信制御部５０１は、「通信部の一部」に相当する。第１通信部５３及び通信制御部５０１は、「通信部」の一例に相当する。
【００４２】
取得部５０２は、サーバー装置５００から目標値ＨＴを示す情報を取得する。また、取得部５０２は、第１通信部５３を介してウェアラブル端末装置２００から測定値ＨＭを示す情報を取得する。具体的には、第１通信部５３が第２通信部６３と通信可能であると通信制御部５０１が判定した時に、取得部５０２は、第１通信部５３を介してウェアラブル端末装置２００から測定値ＨＭを示す情報を取得する。
【００４３】
決定部５０３は、目標値ＨＴ及び測定値ＨＭに基づいて、ユーザーが摂取すべき食品成分ＦＣを決定する。
【００４４】
生成部５０４は、食品成分ＦＣに基づき、ユーザーが購入すべき食品のリストＬＦを生成する。
【００４５】
表示部５０５は、タッチパネル４１にリストＬＦを表示する。
【００４６】
更新部５０６は、ウェアラブル端末装置２００の操作に基づいて、リストＬＦを更新する。
【００４７】
送信部５０７は、リストＬＦを示す情報をウェアラブル端末装置２００に送信する。
【００４８】
指示部５０８は、リストＬＦを示す画像を用紙Ｐに形成するよう画像形成部１４に指示する。画像形成部１４は、指示部５０８の指示にしたがって、リストＬＦを示す画像を用紙Ｐに形成する。
【００４９】
以上、図１〜図４を参照して説明したように、本発明の実施形態では、決定部５０３が、目標値ＨＴ及び測定値ＨＭに基づいて、ユーザーが摂取すべき食品成分ＦＣを決定する。また、生成部５０４が、食品成分ＦＣに基づき、ユーザーが購入すべき食品のリストＬＦを生成する。したがって、測定値ＨＭを頻繁に更新することによって、ユーザーの健康状態に適した食品のリストＬＦを生成できる。
【００５０】
なお、本発明の実施形態では、取得部５０２が、目標値ＨＴを示す情報をサーバー装置５００から取得するが、本発明はこれに限定されない。取得部５０２が、目標値ＨＴを示す情報を取得すればよい。例えば、取得部５０２が、目標値ＨＴを示す情報をウェアラブル端末装置２００から取得してもよい。
【００５１】
引き続き図４を参照して、第２制御部６の構成について説明する。図４に示すように、第２制御部６は、通信制御部６０１、判定部６０２、報知部６０３、検出部６０４、測定制御部６０５及び血圧記憶部６２１を備える。具体的には、プロセッサー６１は、制御プログラムを実行することによって、通信制御部６０１、判定部６０２、報知部６０３、検出部６０４及び測定制御部６０５として機能する。記憶部６２は、血圧記憶部６２１として機能する。
【００５２】
血圧記憶部６２１は、測定値ＨＭを記憶する。具体的には、血圧記憶部６２１は、血圧測定値を測定日時と対応付けて記憶する。血圧測定値は、測定値ＨＭの一例に相当する。
【００５３】
通信制御部６０１は、第２通信部６３の動作を制御する。
【００５４】
判定部６０２は、ＰＯＳ端末装置４００から、ユーザーが購入した食品の種類を示す食品情報ＦＪを受信し、食品情報ＦＪが示す食品がリストＬＦに含まれるか否かを判定する。判定部６０２は、「第１判定部」の一例に相当する。また、判定部６０２は、「第２判定部」の一例にも相当する。
【００５５】
報知部６０３は、第４通信部４０１から受信した食品情報ＦＪが示す食品がリストＬＦに含まれていないと判定部６０２が判定した場合に、報知部６０３は、以下の処理を行う。すなわち、報知部６０３は、振動モーター６５を振動させ、ディスプレー６４に食品情報ＦＪが示す食品がリストＬＦに含まれていない旨を表示する。報知部６０３は、「第２報知部」の一例に相当する。
【００５６】
検出部６０４は、加速度センサー６６の検出結果に基づき、ユーザーの動作を検出する。
【００５７】
測定制御部６０５は、圧力センサー６７及び加圧機構６８を介して、ユーザーの血圧値を測定し、測定した血圧値を血圧記憶部６２１に記憶する。圧力センサー６７及び加圧機構６８は、「測定部」の一例を構成する。
【００５８】
以上、図１〜図４を参照して説明したように、本発明の実施形態では、判定部６０２が、ＰＯＳ端末装置４００から、ユーザーが購入した食品の種類を示す食品情報ＦＪを受信し、食品情報ＦＪが示す食品が食品のリストＬＦに含まれるか否かを判定する。また、報知部６０３は、判定部６０２の判定結果をユーザーに報知する。よって、ユーザーが購入した食品が食品のリストＬＦに含まれるか否かをユーザーが速やかに知得できる。したがって、ユーザーの利便性を更に向上できる。
【００５９】
例えば、ＰＯＳ端末装置４００の第４通信部４０１からの食品情報ＦＪが示す食品がリストＬＦに含まれていないと判定部６０２が判定した場合に、報知部６０３は、以下の処理を行う。すなわち、振動モーター６５を振動させ、ディスプレー６４に食品情報ＦＪが示す食品がリストＬＦに含まれていない旨を表示する。したがって、リストＬＦに含まれていない食品を購入したことをユーザーが速やかに知得できる。したがって、ユーザーの利便性を更に向上できる。
【００６０】
次に、図２〜図５を参照して、食品リスト表示画面７００について説明する。図５は、食品リスト表示画面７００の一例を示す画面図である。食品リスト表示画面７００は、表示部５０５によってタッチパネル４１に表示される。
【００６１】
図５に示すように、食品リスト表示画面７００には、ユーザー表示部７０１、リスト表示部７１０、上へボタン７０２、下へボタン７０３、削除ボタン７０４及び決定ボタン７０５が表示される。
【００６２】
ユーザー表示部７０１は、ユーザーの識別情報を表示する。例えば、ユーザー表示部７０１は、ユーザーＩＤを表示する。
【００６３】
リスト表示部７１０は、リストＬＦを表示する。具体的には、リスト表示部７１０は、選択部７１１、食品名７１２、及び購入量７１３を含む。食品名７１２及び購入量７１３は、リストＬＦを構成する。
【００６４】
選択部７１１は、選択している食品の位置を表示する。例えば、選択部７１１は、選択している食品に対応する位置に選択マークＳＭを表示する。選択マークＳＭは、例えば、白丸「○」である。
【００６５】
食品名７１２は、ユーザーが購入すべき食品の食品名を示す。
【００６６】
購入量７１３は、ユーザーが購入すべき食品の購入量を示す。
【００６７】
上へボタン７０２は、選択マークＳＭを選択部７１１の上側の欄へ移動する場合にユーザーがタッチするボタンを示す。また、検出部６０４がユーザーの第１動作を検出した場合に、更新部５０６は、選択マークＳＭを選択部７１１の上側の欄へ移動する。第１動作は、例えば、ウェアラブル端末装置２００を上向きに振る動作を示す。
【００６８】
具体的には、ウェアラブル端末装置２００が上向きに振られると、加速度センサー６６が上向きの加速度を検出する。加速度センサー６６が上向きの加速度を検出した場合には、検出部６０４は、ユーザーが第１動作を行ったことを検出する。そして、検出部６０４が第１動作を検出したことを示す情報が、第２通信部６３と第１通信部５３とを介して第１制御部５に伝送される。更新部５０６は、検出部６０４が第１動作を検出したことを示す情報に応じて、選択マークＳＭを選択部７１１の上側の欄へ移動する。
【００６９】
下へボタン７０３は、選択マークＳＭを選択部７１１の下側の欄へ移動する場合にユーザーがタッチするボタンを示す。また、検出部６０４がユーザーの第２動作を検出した場合に、更新部５０６は、選択マークＳＭを選択部７１１の下側の欄へ移動する。第２動作は、例えば、ウェアラブル端末装置２００を下向きに振る動作を示す。
【００７０】
具体的には、ウェアラブル端末装置２００が下向きに振られると、加速度センサー６６が下向きの加速度を検出する。加速度センサー６６が下向きの加速度を検出した場合には、検出部６０４は、ユーザーが第２動作を行ったことを検出する。そして、検出部６０４が第２動作を検出したことを示す情報が、第２通信部６３と第１通信部５３とを介して第１制御部５に伝送される。更新部５０６は、検出部６０４が第２動作を検出したことを示す情報に応じて、選択マークＳＭを選択部７１１の下側の欄へ移動する。
【００７１】
削除ボタン７０４は、選択マークＳＭが表示されている食品を消去する場合にユーザーがタッチするボタンを示す。また、検出部６０４がユーザーの第３動作を検出した場合に、更新部５０６は、選択マークＳＭが表示されている食品を消去し、リストＬＦを更新する。第３動作は、例えば、ウェアラブル端末装置２００を右向きに振る動作を示す。
【００７２】
具体的には、ウェアラブル端末装置２００が右向きに振られると、加速度センサー６６が右向きの加速度を検出する。加速度センサー６６が右向きの加速度を検出した場合には、検出部６０４は、ユーザーが第３動作を行ったことを検出する。そして、検出部６０４が第３動作を検出したことを示す情報が、第２通信部６３と第１通信部５３とを介して第１制御部５に伝送される。更新部５０６は、検出部６０４が第３動作を検出したことを示す情報に応じて、選択マークＳＭが表示されている食品を消去し、リストＬＦを更新する。
【００７３】
決定ボタン７０５は、ユーザーが購入すべき食品のリストＬＦをリスト表示部７１０に表示されているリストに決定する場合にユーザーがタッチするボタンを示す。また、検出部６０４がユーザーの第４動作を検出した場合に、更新部５０６は、リストＬＦを更新する。第４動作は、例えば、ウェアラブル端末装置２００を左向きに振る動作を示す。
【００７４】
具体的には、ウェアラブル端末装置２００が左向きに振られると、加速度センサー６６が左向きの加速度を検出する。加速度センサー６６が左向きの加速度を検出した場合には、検出部６０４は、ユーザーが第４動作を行ったことを検出する。そして、検出部６０４が第４動作を検出したことを示す情報が、第２通信部６３と第１通信部５３とを介して第１制御部５に伝送される。更新部５０６は、検出部６０４が第４動作を検出したことを示す情報に応じて、リストＬＦを更新する。
【００７５】
また、リストＬＦを更新部５０６が更新した時に、送信部５０７は、リストＬＦをウェアラブル端末装置２００に送信する。
【００７６】
以上、図２〜図５を参照して説明したように、本発明の実施形態では、第１通信部５３が第２通信部６３と通信可能になった時に、表示部５０５が、ユーザーが購入すべき食品のリストＬＦをタッチパネル４１に表示する。よって、ユーザーは、購入すべき食品のリストＬＦを速やかに確認できる。したがって、ユーザーの利便性を向上できる。
【００７７】
また、更新部５０６は、ウェアラブル端末装置２００の操作に基づいて、リストＬＦを更新する。よって、操作パネル４を操作することなく、リストＬＦを更新できる。したがって、ユーザーの利便性を更に向上できる。
【００７８】
更に、送信部５０７は、リストＬＦを示す情報をウェアラブル端末装置２００に送信する。よって、ユーザーは、ウェアラブル端末装置２００でリストＬＦを確認できる。例えば、リストＬＦをディスプレー６４に表示することによって、ユーザーはリストＬＦを確認できる。したがって、ユーザーの利便性を更に向上できる。
【００７９】
次に、図２〜図６を参照して、食品棚３００に配置された第３通信部３０１及び第３記憶部３０２と、ウェアラブル端末装置２００の第２制御部６との処理について更に説明する。図６は、食品棚３００の一例を示す図である。
【００８０】
図６に示すように、ユーザーＵＳは、腕にウェアラブル端末装置２００を装着している。
【００８１】
また、食品棚３００には、３つの段が設けられており、最上段には、第３通信部３０１ａ及び第３記憶部３０２ａが配置され、第１食品ＦＤ１が陳列されている。第３記憶部３０２ａには、第１食品ＦＤ１を示す食品情報ＦＪが記憶されている。第３通信部３０１ａは、ウェアラブル端末装置２００と通信可能になった時に、ウェアラブル端末装置２００に第１食品ＦＤ１を示す食品情報ＦＪを送信する。
【００８２】
食品棚３００の中段には、第３通信部３０１ｂ及び第３記憶部３０２ｂが配置され、第２食品ＦＤ２が陳列されている。第３記憶部３０２ｂには、第２食品ＦＤ２を示す食品情報ＦＪが記憶されている。第３通信部３０１ｂは、ウェアラブル端末装置２００と通信可能になった時に、ウェアラブル端末装置２００に第２食品ＦＤ２を示す食品情報ＦＪを送信する。
【００８３】
食品棚３００の下段には、第３通信部３０１ｃ及び第３記憶部３０２ｃが配置され、第３食品ＦＤ３が陳列されている。第３記憶部３０２ｃには、第３食品ＦＤ３を示す食品情報ＦＪが記憶されている。第３通信部３０１ｃは、ウェアラブル端末装置２００と通信可能になった時に、ウェアラブル端末装置２００に第３食品ＦＤ３を示す食品情報ＦＪを送信する。
【００８４】
ウェアラブル端末装置２００の第２制御部６の判定部６０２は、以下の処理を行う。すなわち、判定部６０２は、食品棚３００に配置された第３通信部３０１から食品情報ＦＪを受信し、食品情報ＦＪが示す食品がリストＬＦに含まれるか否かを判定する。具体的には、判定部６０２は、第３通信部３０１ａから第１食品ＦＤ１を示す食品情報ＦＪを受信し、第３通信部３０１ｂから第２食品ＦＤ２を示す食品情報ＦＪを受信し、第３通信部３０１ｃから第３食品ＦＤ３を示す食品情報ＦＪを受信する。
【００８５】
報知部６０３は、判定部６０２の判定結果をユーザーＵＳに報知する。具体的には、食品棚３００に配置された第３通信部３０１からの食品情報ＦＪが示す食品がリストＬＦに含まれていると判定部６０２が判定した場合に、報知部６０３は、以下の処理を行う。すなわち、報知部６０３は、判定部６０２の判定結果をユーザーＵＳに報知する。具体的には、報知部６０３は、振動モーター６５を振動させ、ディスプレー６４に食品情報ＦＪが示す食品がリストＬＦに含まれている旨を表示する。
【００８６】
以上、図２〜図６を参照して説明したように、本発明の実施形態では、判定部６０２は、食品棚３００に配置された第３通信部３０１から食品情報ＦＪを受信し、食品情報ＦＪが示す食品がリストＬＦに含まれるか否かを判定する。また、報知部６０３は、判定部６０２の判定結果をユーザーＵＳに報知する。よって、食品情報ＦＪが示す食品がリストＬＦに含まれるか否かをユーザーＵＳが速やかに知得できる。したがって、ユーザーＵＳの利便性を更に向上できる。
【００８７】
また、第３通信部３０１からの食品情報ＦＪが示す食品がリストＬＦに含まれていると判定部６０２が判定した場合に、報知部６０３は、振動モーター６５を振動させるため、ユーザーＵＳがウェアラブル端末装置２００のディスプレー６４を見る必要がない。よって、ユーザーＵＳは食品情報ＦＪが示す食品がリストＬＦに含まれることを確実に知得できる。したがって、ユーザーＵＳの利便性を更に向上できる。
【００８８】
更に、第３通信部３０１からの食品情報ＦＪが示す食品がリストＬＦに含まれていると判定部６０２が判定した場合に、報知部６０３は、ディスプレー６４に食品情報ＦＪが示す食品がリストＬＦに含まれている旨を表示する。したがって、ユーザーＵＳはリストＬＦに含まれていると判定された食品の食品情報ＦＪを確認できる。
【００８９】
次に、図２〜図８を参照して、画像形成装置１００に配置された第１制御部５の処理について説明する。図７及び図８は、第１制御部５の処理の一例を示すフローチャートである。
まず、図７に示すように、ステップＳ１０１において、通信制御部５０１は、第１通信部５３がウェアラブル端末装置２００（第２通信部６３）と通信可能であるか否かを判定する。
ウェアラブル端末装置２００と通信可能ではないと通信制御部５０１が判定した場合（ステップＳ１０１でＮＯ）には、処理が待機状態になる。ウェアラブル端末装置２００と通信可能であると通信制御部５０１が判定した場合（ステップＳ１０１でＹＥＳ）には、処理がステップＳ１０３に進む。
そして、ステップＳ１０３において、取得部５０２がウェアラブル端末装置２００から測定値ＨＭを取得し、取得部５０２がサーバー装置５００から目標値ＨＴを取得する。
次に、ステップＳ１０５において、決定部５０３が、目標値ＨＴ及び測定値ＨＭに基づいて、ユーザーが摂取すべき食品成分ＦＣを決定する。
【００９０】
次に、ステップＳ１０７において、生成部５０４が、食品成分ＦＣに基づき、ユーザーが購入すべき食品のリストＬＦを生成する。
次に、ステップＳ１０９において、表示部５０５が、タッチパネル４１にリストＬＦを表示する。
次に、ステップＳ１１１において、更新部５０６が、ウェアラブル端末装置２００又はタッチパネル４１から更新操作を受け付けたか否かを判定する。更新操作は、リストＬＦを更新する操作を示す。
更新操作を受け付けていないと更新部５０６が判定した場合（ステップＳ１１１でＮＯ）には、処理がステップＳ１１５に進む。更新操作を受け付けたと更新部５０６が判定した場合（ステップＳ１１１でＹＥＳ）には、処理がステップＳ１１３に進む。
そして、ステップＳ１１３において、更新部５０６が、更新操作に基づいて、リストＬＦを更新する。
次に、ステップＳ１１５において、更新部５０６が、ウェアラブル端末装置２００又はタッチパネル４１から決定操作を受け付けたか否かを判定する。決定操作は、リストＬＦを決定する操作を示す。
決定操作を受け付けていないと更新部５０６が判定した場合（ステップＳ１１５でＮＯ）には、処理がステップＳ１１１に戻る。決定操作を受け付けたと更新部５０６が判定した場合（ステップＳ１１５でＹＥＳ）には、処理がステップＳ１１７に進む。
そして、ステップＳ１１７において、更新部５０６が、リストＬＦを決定する。
【００９１】
次に、図８に示すように、ステップＳ１１９において、送信部５０７がリストＬＦを示す情報をウェアラブル端末装置２００に送信する。
次に、ステップＳ１２１において、指示部５０８が、リストＬＦを印刷するか否かを判定する。
リストＬＦを印刷しないと指示部５０８が判定した場合（ステップＳ１２１でＮＯ）には、処理が終了する。リストＬＦを印刷すると指示部５０８が判定した場合（ステップＳ１２１でＹＥＳ）には、処理がステップＳ１２３に進む。
そして、ステップＳ１２３において、画像形成部１４が、指示部５０８の指示にしたがって、リストＬＦを示す画像を用紙Ｐに形成し、処理が終了する。
【００９２】
以上、図２〜図８を参照して説明したように、本発明の実施形態では、画像形成部１４は、リストＬＦを示す画像を用紙Ｐに形成する。よって、ユーザーは、リストＬＦを容易に確認できる。したがって、ユーザーの利便性を更に向上できる。
【００９３】
次に、図２〜図６、図９及び図１０を参照して、ウェアラブル端末装置２００に配置された第２制御部６の処理について説明する。図９及び図１０は、第２制御部６の処理の一例を示すフローチャートである。
まず、図９に示すように、ステップＳ２０１において、測定制御部６０５は、測定値ＨＭを測定する。具体的には、測定制御部６０５は、圧力センサー６７及び加圧機構６８を介して、ユーザーの血圧値を測定する。
次に、ステップＳ２０３において、通信制御部６０１は、画像形成装置１００と通信可能であるか否かを判定する。具体的には、通信制御部６０１は、第２通信部６３が第１通信部５３と通信可能であるか否かを判定する。
画像形成装置１００と通信可能ではないと通信制御部６０１が判定した場合（ステップＳ２０３でＮＯ）には、処理がステップＳ２０１に戻る。画像形成装置１００と通信可能であると通信制御部６０１が判定した場合（ステップＳ２０３でＹＥＳ）には、処理がステップＳ２０５に進む。
そして、ステップＳ２０５において、通信制御部６０１が、測定値ＨＭを示す情報を画像形成装置１００に送信する。
【００９４】
次に、ステップＳ２０７において、通信制御部６０１が、リストＬＦを示す情報を画像形成装置１００から受信したか否かを判定する。
リストＬＦを示す情報を画像形成装置１００から受信していないと通信制御部６０１が判定した場合（ステップＳ２０７でＮＯ）には、処理が待機状態になる。リストＬＦを示す情報を画像形成装置１００から受信したと通信制御部６０１が判定した場合（ステップＳ２０７でＹＥＳ）には、処理がステップＳ２０９に進む。
そして、ステップＳ２０９において、通信制御部６０１が、食品棚３００に配置された第３通信部３０１から食品情報ＦＪを受信したか否かを判定する。
食品情報ＦＪを受信していないと通信制御部６０１が判定した場合（ステップＳ２０９でＮＯ）には、処理が待機状態になる。食品情報ＦＪを受信したと通信制御部６０１が判定した場合（ステップＳ２０９でＹＥＳ）には、処理がステップＳ２１１に進む。
【００９５】
そして、ステップＳ２１１において、判定部６０２は、食品情報ＦＪが示す食品がリストＬＦに含まれるか否かを判定する。
食品情報ＦＪが示す食品がリストＬＦに含まれないと判定部６０２が判定した場合（ステップＳ２１１でＮＯ）には、処理が図１０のステップＳ２１７に進む。食品情報ＦＪが示す食品がリストＬＦに含まれると判定部６０２が判定した場合（ステップＳ２１１でＹＥＳ）には、処理がステップＳ２１３に進む。
そして、ステップＳ２１３において、判定部６０２が、食品情報ＦＪが示す食品が取出済であるか否かを判定する。「取出済である」とは、食品ＦＤを食品棚３００から取り出したことを示す。
食品情報ＦＪが示す食品が取出済であると判定部６０２が判定した場合（ステップＳ２１３でＹＥＳ）には、処理が図１０のステップＳ２１７に進む。食品情報ＦＪが示す食品が取出済ではないと判定部６０２が判定した場合（ステップＳ２１３でＮＯ）には、処理がステップＳ２１５に進む。
そして、ステップＳ２１５において報知部６０３は、判定部６０２の判定結果をユーザーに報知する。具体的には、報知部６０３は、振動モーター６５を振動させ、ディスプレー６４に食品情報ＦＪが示す食品がリストＬＦに含まれている旨を表示する。
【００９６】
次に、図１０に示すように、ステップＳ２１７において、検出部６０４が取出動作を検出したか否かを判定する。「取出動作」は、食品ＦＤを食品棚３００から取り出す動作を示す。
取出動作を検出していないと検出部６０４が判定した場合（ステップＳ２１７でＮＯ）には、処理がステップＳ２２１に進む。取出動作を検出したと検出部６０４が判定した場合（ステップＳ２１７でＹＥＳ）には、処理がステップＳ２１９に進む。
そして、ステップＳ２１９において、第２制御部６が、リストＬＦを更新する。具体的には、第２制御部６は、食品ＦＤが取出済である旨をリストＬＦに記入する。食品ＦＤは、検出部６０４が取出動作を検出した食品を示す。
【００９７】
次に、ステップＳ２２１において、第２制御部６は、ＰＯＳ端末装置４００での決済処理を受け付けたか否かを判定する。具体的には、第２制御部６は、ＰＯＳ端末装置４００と通信可能になり、ＰＯＳ端末装置４００から購入した食品ＦＤを示す食品情報ＦＪを受信した場合に、第２制御部６は、ＰＯＳ端末装置４００での決済処理を受け付けたと判定する。
ＰＯＳ端末装置４００での決済処理を受け付けていないと第２制御部６が判定した場合（ステップＳ２２１でＮＯ）には、処理が図９のステップＳ２０９に戻る。ＰＯＳ端末装置４００での決済処理を受け付けたと第２制御部６が判定した場合（ステップＳ２２１でＹＥＳ）には、処理がステップＳ２２３に進む。
【００９８】
そして、ステップＳ２２３において、判定部６０２は、未購入品が有るか否かを判定する。「未購入品」は、リストＬＦに含まれ、且つ、購入した食品に含まれていない食品を示す。すなわち、「未購入品」は、ユーザーが購入すべき食品ＦＤであり、ユーザーが購入していない食品を示す。
未購入品が無いと判定部６０２が判定した場合（ステップＳ２２３でＮＯ）には、処理がステップＳ２２７に進む。未購入品が有ると判定部６０２が判定した場合（ステップＳ２２３でＹＥＳ）には、処理がステップＳ２２５に進む。
そして、ステップＳ２２５において、報知部６０３は、未購入品が有る旨をユーザーに報知する。具体的には、報知部６０３は、振動モーター６５を振動させ、ディスプレー６４に未購入品がある旨を表示する。
【００９９】
次に、ステップＳ２２７において、判定部６０２は、過購入品が有るか否かを判定する。「過購入品」は、購入した食品のうち、リストＬＦに含まれていない食品を示す。すなわち、「過購入品」は、ユーザーが購入した食品のうち、ユーザーが購入すべきではない食品を示す。
過購入品が無いと判定部６０２が判定した場合（ステップＳ２２７でＮＯ）には、処理が終了する。過購入品が有ると判定部６０２が判定した場合（ステップＳ２２７でＹＥＳ）には、処理がステップＳ２２９に進む。
そして、ステップＳ２２９において、報知部６０３は、過購入品が有る旨をユーザーに報知する。具体的には、報知部６０３は、振動モーター６５を振動させ、ディスプレー６４に過購入品がある旨を表示する。その後、処理が終了する。
【０１００】
以上、図２〜図６、図９及び図１０を参照して説明したように、本発明の実施形態では、ウェアラブル端末装置２００は、測定値ＨＭを測定する。よって、測定値ＨＭを頻繁に更新できる。したがって、ユーザーの最近の健康状態に適したリストＬＦを確実に生成できる。
【０１０１】
また、ウェアラブル端末装置２００は、ユーザーの血圧値を測定する。よって、血圧の測定値を頻繁に更新できる。したがって、ユーザーの最近の血圧に適したリストＬＦを確実に生成できる。
【０１０２】
更に、未購入品が有ると判定部６０２が判定した場合に、報知部６０３は、未購入品が有る旨をユーザーに報知する。よって、ユーザーは、未購入品が有ることを容易に確認できる。したがって、ユーザーの利便性を更に向上できる。
【０１０３】
また、過購入品が有ると判定部６０２が判定した場合に、報知部６０３は、過購入品が有る旨をユーザーに報知する。よって、ユーザーは、過購入品が有ることを容易に確認できる。したがって、ユーザーの利便性を更に向上できる。
【０１０４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０５】
（１）図３を参照して説明したように、本発明の実施形態では、ウェアラブル端末装置２００がユーザーの腕に装着されるが、本発明はこれに限定されない。ウェアラブル端末装置がユーザーの身に着けられればよい。ウェアラブル端末装置が、例えばユーザーの手首に装着されてもよいし、ウェアラブル端末装置が、例えばユーザーの頭部に装着されてもよい。
【０１０６】
（２）図３を参照して説明したように、本発明の実施形態では、ウェアラブル端末装置２００がユーザーの血圧値を検出するが、本発明はこれに限定されない。ウェアラブル端末装置が測定値ＨＭを測定すればよい。ウェアラブル端末装置が、例えば心拍数を検出してもよい。また、ウェアラブル端末装置が、例えば、血糖値を検出してもよい。
【０１０７】
（３）図６を参照して説明したように、本発明の実施形態では、食品棚３００に第３通信部３０１及び第３記憶部３０２が配置されるが、本発明はこれに限定されない。ウェアラブル端末装置２００が食品棚３００に陳列された食品の食品情報ＦＪを取得すればよい。食品にＩＣタグが貼付されており、ウェアラブル端末装置２００がＩＣタグから食品情報ＦＪを取得してもよい。
【産業上の利用可能性】
【０１０８】
本発明は、食品購入支援システム、及び画像形成装置の分野に利用可能である。
【符号の説明】
【０１０９】
１００    画像形成装置
１    画像形成ユニット
１４    画像形成部
４    操作パネル
４１    タッチパネル（ディスプレー）
５    第１制御部
５１    プロセッサー
５０１    通信制御部（通信部）
５０２    取得部
５０３    決定部
５０４    生成部
５０５    表示部
５０６    更新部
５０７    送信部
５０８    指示部
５２    記憶部
５３    第１通信部（通信部）
２００    ウェアラブル端末装置
６    第２制御部
６１    プロセッサー
６０１    通信制御部
６０１    判定部（第１判定部、第２判定部）
６０２    報知部（第１報知部、第２報知部）
６０３    検出部
６０４    測定制御部
６２    記憶部
６２１    血圧記憶部
６３    第２通信部
６４    ディスプレー
６５    振動モーター
６６    加速度センサー
６７    圧力センサー（測定部の一部）
６８    加圧機構（測定部の一部）
３００    食品棚
３０１、３０１ａ、３０１ｂ、３０１ｃ    第３通信部
３０２、３０２ａ、３０２ｂ、３０２ｃ    第３記憶部
４００    ＰＯＳ端末装置
５００    サーバー装置
６００    ネットワーク
ＦＪ    食品情報
ＬＦ    リスト
ＨＭ    測定値
ＨＴ    目標値
【図１】
2019066982.tif 000003
【図２】
2019066982.tif 000004
【図３】
2019066982.tif 000005
【図４】
2019066982.tif 000006
【図５】
2019066982.tif 000007
【図６】
2019066982.tif 000008
【図７】
2019066982.tif 000009
【図８】
2019066982.tif 000010
【図９】
2019066982.tif 000011
【図１０】
2019066982.tif 000012